(57)【要約】【課題】  書類を綴じ込んだファイルブックが多数ファイルボックス５に収納されてファイルブックの背表紙が面一状態となっているファイルボックスから所定のファイルを容易に取り出すことができる取手（摘み）をファイルに一体形設したファイルを提供する。【解決手段】  厚紙の表紙１１、背表紙１２、裏表紙１３と折畳部１４よりなるファイル１（縦幅Ｈ，横幅Ｄ、綴幅Ｗ）の背表紙１２に形状が弓形または台形の取手（摘み）２を形設するため、背表紙１２の中央部を切り抜く（寸隙を形設した欠切）とともに取手２を指先で摘みやすくするため先端中央部に弓形の指掛部２０を形設する。【選択図】図１
0003155730.tif 000002
【実用新案登録請求の範囲】
【請求項１】
表紙と裏表紙が背表紙を介して一体であるファイルにおいて、書類を綴じ込んだファイルブックをファイルボックスや書棚などから取り出しやすくするために背表紙の中央部に切り込み部を形設してなる取手（摘み）がファイルと一体成形することを特徴とするファイル。
【請求項２】
請求項１に記載のファイルにおいて、切り込み部に取手を形設するにあたっては、取手を摘みやすくするために、その形状を弓形または台形とするとともに取手が容易に破損しないよう成形切り抜きラインの両端部に小孔を穿設し、両穿孔間を切り抜く成形ラインに寸隙が形設されるこを特徴とするファイル。
【請求項３】
請求項１または請求項２に記載のファイルにおいて、取手成形部周辺を補強するために裏表紙の折畳部をホッチキス止めをするとともに形設した取手を指先で摘みやすくするために取手中央部の先端に弓形の指掛部を形設することなどを特徴とするファイル。
【考案の詳細な説明】
【技術分野】
【０００１】  本考案は、書類を綴じ込んだファイルブックを多数ファイルボックスや書棚などに収納し、ファイルの背表紙が面一状態となったときに所定のファイルブックを容易に摘出することができるようファイルの背表紙に取手部（把持部）を一体形設してなる取手付ファイルに関する。
【背景技術】
【０００２】  従来、書類を綴じ込んだファイルブックを収納、整理、保管するためにファイルボックスやスタンドやトレ−などが使用されており、そのファイルボックスなどからファイルブックを容易に取り出せるようにするためファイルの背表紙に取手を形設（切り込み成形または突起付設）したファイルが数多く提案されている。
（例えば、特許文献１、特許文献２などを参照）。
しかし、ファイルブックをファイルボックスや書棚などに多数並べて収納した場合には、隣接するファイルとファイルが密着し、多数のファイルの背表紙が面一状態となるので、ファイルを手先で摘み出すことは容易ではなかった。また、背表紙に突起を付設するファイルも取手の構成に手間がかかるなど利便性に乏しかった。【０００３】
【特許文献１】公開実用新案昭６０−１３４６６７公報
【特許文献２】特開２００７−２２０４８号公報
【考案の開示】
【考案が解決しようとする課題】
【０００４】  本考案は、従来技術の上記のような問題点を解決するために創作されたもので、多数のファイルブックを収納したファイルボックスなどから所定のファイルブックを容易かつ能率的に取り出すことができる形状が簡単な取手を背表紙に形設した取手付ファイルを提供することが課題である。
【課題を解決するための手段】
【０００５】  上記の課題を解決するための手段としては、ファイルの背表紙の中央部に取手を設けること。取手の形状を簡単で摘み易くするために弓形または台形とすること。その形状を背表紙に切り抜いて取手を成形すること。取手成形部を補強するために裏表紙の折畳部をホッチキス止めをすること。取手部の破損（折損等）を防止するために取手を切り抜いて成形ラインの両端に小孔を穿設し、両孔間を結んだ成形ラインに寸隙を形成することのほか、取手を摘みやすくするために取手の中央先端部に指掛部を形設することなどである。
【考案の効果】
【０００６】  本考案のファイルによれば、取手を構成する形状が簡単なので切り抜き一体成形が容易であり、成形コストが安直であること。取手の把持部に指掛を形設することにより指先での摘出が容易であることからファイルブックを脱落したり傷つけたりする虞もないことのほか背表紙に突起などを接着しないファイルなので持ち運び易く、手軽に取扱える。【０００７】  また、従来の背表紙の外側面に突起片などの把持部を付設（圧着または接着）するファイルに比べて製作費の大幅なコスト低減が可能となることなど多くの効果を奏する。
【考案を実施するための最良の形態】
【０００８】  以下、図面に基づいて本考案を実施するための最良の形態について説明する。
【実施例】
【０００９】  図１は、取手２が成形されたファイル１の斜視図であり、一枚の厚紙（０．７ｍｍ厚）を３面（表紙、背表紙、裏表紙）に折り畳んでなる書類綴じ込み用のファイル１の背表紙１２（幅約２０ｍｍ）の中央部を切り抜いて成形した取手２が一体となっている。【００１０】  図２は、多数のファイルブック１０をファイルボックス５に収納（垂直整理）したときの形態を示す斜視図で、ファイルボックス５の取出部６においてファイル１の背表紙１２が面一状態となり取手２の把持、摘出が容易ではないので背表紙１２の中央部に取手２を形設するとともに図３（ｄ）に示すように取手の先端部に指掛部２０を形設した。【００１１】  図３は、ファイル１の横幅がＷ（約２０ｍｍ）の背表紙１２の中央部に形設する弓形と台形の取手２の形状と構成の形態を示す正面図と部分断面図で、同図（ａ）は、綴幅がＷの背表紙１２に横幅がｍ（１３ｍｍ），縦幅がｌ（１５ｍｍ）の弓形の取手２を成形するため、背表紙１２を弓形に切り抜く成形ライン３の両端に取手２を補強するための小孔４を穿設し、両孔間を幅ｔが１ｍｍのライン３を成形して取手２の把持部を構成する。【００１２】  また、同図（ｂ）も（ａ）と同じく、背表紙１２の中央部に台形の取手２を成形するため、背表紙１２を台形に切り抜く成形ライン３の両端に取手２を補強するための小孔４を穿設し、両孔間を幅ｔが１ｍｍのライン３を成形して取手２の把持部を構成する。【００１３】  また、同図（ｃ）は、ファイル１を構成する背表紙１２の中央部に形設する取手２の構成と形態を示すＡ−Ａ断面図で、取手２を形設する部位の裏表紙１３と背表紙１２を補強するために裏表紙１３の裏側の折畳部１４をホッチキスにより止着７する。【００１４】  また、同図（ｄ）は、背表紙１２の中央部を弓形に切り抜いて取手２を成形するライン３の構成図で、取手２の把持部を補強するために小孔４（径２ｍｍ）を裏表紙１３寄りの切り抜き成形ライン３の両端に穿孔した後、両孔間を結ぶ成形ラインに寸隙（幅１ｍｍ）が形設されるよう欠切するとともに取手２を把持する先端部に指掛部２０を形設する。【００１５】  上述にように構成されてなるファイル１は、取手２の形設した位置が中央部で、成形した把持部が摘みやすい形状と大きさで、その先端に指掛部２０が形成されており、指先で容易にファイルブック１０をボックス５や書棚などから所定のファイルブック１０を取り出すことができるように背表紙１２と取手２が一体成形されており、突起片なども付いてないので持ち運びやすく取扱いも便利である。【００１６】  また、厚紙を折り込んで構成したファイル１の背表紙１２を切り抜いて取手２を形設したことにより取手成形部周辺のファイル素材が脆弱化し、切損したり折損したりする虞があるので、これを補強するために裏表紙１３の折畳部１４をホッチキス止め７するとともに切り抜き成形ライン３の両端に穿設部４を設けることなどを具備するファイルである。【００１７】  なお、図４および図５は、いずれも公開されたファイルを示す斜視図で、図４は、切り込み取手付のファイルで、取手の形状は簡単であるが先端が下向きのため摘みづらいことと経年使用によって取手が破損（折損）しやすいことなどに問題があった。また、図５は、突起付設のファイルで、摘みやすい形状であるが突起を付設するための手間や費用など、その利便性に問題があった。
本考案のファイルは、これらの問題点を解消するために創作されたものである。【００１８】
【図面の簡単な説明】
【００１９】
【図１】  本考案の取手（摘み）成形ファイルの斜視図。
【図２】  多数のファイルをボックスに収納した状態を示す斜視図。
【図３】  取手（摘み）形設の形態を示す正面図と断面図。（ａ）  取手の摘みの形状が弓形の取手成形部。（ｂ）  取手の摘みの形状が台形の取手成形部。（ｃ）  取手成形部のファイル構成（表、背、裏表紙）断面図。（ｄ）  取手成形部の背表紙切り込み形態を示す平面図。
【図４】  公開された切り込み取手付ファイルの斜視図。
【図５】  公開された突起を接着したファイルの斜視図。
【符号の説明】
【００２０】    １    ファイル（書類綴）
１０  ファイルブック（綴込書類）
１１  表紙  （０．７ｍｍ厚）
１２  背表紙（    〃      ）
１３  裏表紙（    〃      ）
１４  折畳部（挾着）
２    取手部（把持、摘み）
２０  指掛部（切欠）
３    切り抜き部（欠切ライン）
４    穿設部（小孔、２ｍｍφ）
５    ファイルボックス（収納スタンド、トレ−）
６    摘出部（ファイルボックス）
７    止着部（ホッチキス止め）
ｌ    取手成形部の縦幅（１５ｍｍ）
ｍ    取手成形部の横幅（１３ｍｍ）
ｔ    切り抜き成形ライン幅（１ｍｍ）
Ｈ    ファイル表紙の縦幅（約３１ｍｍ）
Ｄ    ファイル表紙の横幅（約２２ｍｍ）
Ｗ    ファイル背表紙の綴幅（約２０ｍｍ）
【図１】
0003155730.tif 000003
【図２】
0003155730.tif 000004
【図３】
0003155730.tif 000005
【図４】
0003155730.tif 000006
【図５】
0003155730.tif 000007
【手続補正書】
【提出日】平成21年6月30日(2009.6.30)
【手続補正１】
【補正対象書類名】実用新案登録請求の範囲
【補正対象項目名】全文
【補正方法】変更
【補正の内容】
【実用新案登録請求の範囲】
【請求項１】
表紙と裏表紙が背表紙を介して一体であるファイルにおいて、書類を綴じ込んだファイルブックをファイルボックスや書棚などから取り出しやすくするために背表紙の中央部に切り込み部を形設してなる取手（摘み）がファイルと一体成形することを特徴とするファイル。
【請求項２】
請求項１に記載のファイルにおいて、切り込み部に取手を形設するにあたっては、取手を摘みやすくするために、その形状を弓形または台形とするとともに取手が容易に破損しないように成形する切り抜きラインの両端部に小孔を穿設し、両穿孔間を切り抜く成形ラインに寸隙が形設されることを特徴とするファイル。
【請求項３】
請求項１または請求項２に記載のファイルにおいて、取手成形部の周辺を補強するために裹表紙の折畳部をホッチキス止めをするとともに形設した取手を指先で摘みやすくするために取手中央部の先端に弓形の指掛部を形設することを特徴とするふぁいる。
【手続補正書】
【提出日】平成21年9月1日(2009.9.1)
【手続補正１】
【補正対象書類名】実用新案登録請求の範囲
【補正対象項目名】全文
【補正方法】変更
【補正の内容】
【実用新案登録請求の範囲】
【請求項１】
表紙と裏表紙が背表紙を介して一体であるファイルにおいて、書類を綴じ込んだファイルブックをファイルボックスや書棚などから取り出しやすくするために背表紙の中央部に切り込み部を形設してなる取手（摘み）がファイルと一体成形することを特徴とするファイル。
【請求項２】
請求項１に記載のファイルにおいて、切り込み部に取手を形設するにあたっては、取手を摘みやすくするために、その形状を弓形または台形とするとともに取手が容易に破損しないように成形する切り抜きラインの両端部に小孔を穿設し、両穿孔間を切り抜く成形ラインに寸隙が形設されることを特徴とするファイル。
【請求項３】
請求項１または請求項２に記載のファイルにおいて、取手成形部の周辺を補強するために裏表紙の折畳部をホッチキス止めをするとともに形設した取手を指先で摘みやすくするために取手中央部の先端に弓形の指掛部を形設することを特徴とするファイル。